(57)【要約】【課題】表示パネルを静電気から保護することができる表示装置を提供する。【解決手段】画像を表示する液晶パネル１２と、液晶パネル１２の前面の外周部を覆うフロントキャビネット６と、液晶パネル１２の背面を覆い、且つ、フロントキャビネット６と合わせ面４２で接続されたリアキャビネット８と、合わせ面４２と液晶パネル１２の外周部との間に配置され、且つ、フロントキャビネット６からリアキャビネット８に向けて延びるリブ４０と、を備える。【選択図】図３
2015125180.tif 000002
【特許請求の範囲】
【請求項１】
画像を表示するための表示装置であって、
前記画像を表示する表示パネルと、
前記表示パネルの前面の外周部を覆う前面筐体と、
前記表示パネルの背面を覆い、且つ、前記前面筐体と合わせ面で接続された背面筐体と、
前記合わせ面と前記表示パネルの外周部との間に配置され、且つ、前記前面筐体から前記背面筐体に向けて延びるリブと、を備える
表示装置。
【請求項２】
前記リブは、前記前面筐体の全周に亘って設けられている
請求項１に記載の表示装置。
【請求項３】
前記リブの先端は、前記合わせ面よりも前記背面筐体側に配置されている
請求項１又は２に記載の表示装置。
【請求項４】
さらに、前記表示パネルの背面の外周部を支持する支持部材と、
前記表示パネルと前記背面筐体との間に配置された金属製の背面部材と、を備え、
前記支持部材は、前記背面部材の表面を前記リブの先端に面するように露出させるための開口部を有する
請求項１〜３のいずれか１項に記載の表示装置。
【請求項５】
さらに、前記表示パネルの外周部に設けられた可撓性配線基板を備え、
前記開口部は、前記可撓性配線基板の配置箇所に対応して配置されている
請求項４に記載の表示装置。
【請求項６】
前記リブは、前記前面筐体の基準面から前記背面筐体に向けて延びており、
前記基準面から前記リブの前記先端までの距離は、前記基準面から前記可撓性配線基板の先端までの距離よりも長く、且つ、前記リブの前記先端から前記可撓性配線基板の前記先端までの距離は、前記リブの前記先端から前記背面部材までの距離よりも長い
請求項５に記載の表示装置。
【請求項７】
さらに、前記背面部材に支持され、且つ、前記表示パネルの背面に光を照射するバックライトを備える
請求項４〜６のいずれか１項に記載の表示装置。
【発明の詳細な説明】
【技術分野】
【０００１】
本発明は、画像を表示するための表示装置に関する。
【背景技術】
【０００２】
例えば液晶テレビジョン受像機等のように、画像を表示するための表示装置が知られている（例えば、特許文献１参照）。図６は、従来の表示装置の構造を示す要部断面図である。図６に示すように、表示装置１００の筐体１０２は、樹脂製のフロントキャビネット１０４及び樹脂製のリアキャビネット１０６が相互に接続されることにより構成されている。フロントキャビネット１０４は、筐体１０２の内部に配置された液晶パネル１０８（表示パネルを構成する）の前面の外周部を覆っている。リアキャビネット１０６は、当該液晶パネル１０８の背面全体を覆っている。
【０００３】
筐体１０２の内部には、液晶パネル１０８の他に、ベゼル１１０、モールドフレーム１１２及びリアフレーム１１４が配置されている。ベゼル１１０は、液晶パネル１０８の前面の外周部を支持するための金属製の枠部材である。モールドフレーム１１２は、液晶パネル１０８の背面の外周部を支持するための樹脂製の枠部材である。リアフレーム１１４は、バックライト（図示せず）を支持するための金属製のフレームであり、液晶パネル１０８とリアキャビネット１０６との間に配置されている。
【０００４】
上述したベゼル１１０は、金属製のネジ１１６によって、モールドフレーム１１２とともにリアフレーム１１４に固定されている。これにより、ベゼル１１０は、ネジ１１６を介してリアフレーム１１４と電気的に導通されている。なお、リアフレーム１１４は、例えば配線基板（図示せず）のグランド配線にネジ（図示せず）で締結されることによって、配線基板のグランド配線と電気的に導通（アース）されている。
【０００５】
このような表示装置１００では、フロントキャビネット１０４とリアキャビネット１０６との合わせ面１１８に僅かな隙間が形成される。そのため、図６中の矢印で示すように、静電気が上記隙間を通して筐体１０２の内部に侵入することがある。この場合、筐体１０２の内部に侵入した静電気は、ベゼル１１０、ネジ１１６及びリアフレーム１１４を流れた後にアースに逃がされるので、静電気が液晶パネル１０８に悪影響を及ぼすのが抑制される。
【先行技術文献】
【特許文献】
【０００６】
【特許文献１】特開２００７−９４２２４号公報
【発明の概要】
【発明が解決しようとする課題】
【０００７】
近年、液晶パネル１０８の周囲の画像表示に寄与しない部分（いわゆる、額縁部分）を狭額縁化することが要望されている。狭額縁化を実現するための方法として、例えば、表示装置１００の部品のうち上述したベゼル１１０を抹消することが提案されている。しかしながら、ベゼル１１０を抹消した場合には、筐体１０２の内部に侵入した静電気をアースに逃がすことができず、静電気が液晶パネル１０８に悪影響を及ぼすおそれがある。
【０００８】
本発明は、上述した課題を解決しようとするものであり、その目的は、表示パネルを静電気から保護することができる表示装置を提供することである。
【課題を解決するための手段】
【０００９】
上記目的を達成するために、本発明の一態様に係る表示装置は、画像を表示するための表示装置であって、前記画像を表示する表示パネルと、前記表示パネルの前面の外周部を覆う前面筐体と、前記表示パネルの背面を覆い、且つ、前記前面筐体と合わせ面で接続された背面筐体と、前記合わせ面と前記表示パネルの外周部との間に配置され、且つ、前記前面筐体から前記背面筐体に向けて延びるリブと、を備える。
【００１０】
本態様によれば、前面筐体には、前面筐体及び背面筐体の合わせ面と表示パネルの外周部との間に配置されたリブが設けられているので、上述した合わせ面から表示パネルの外周部までの沿面距離を長く確保することができる。これにより、例えば背景技術の欄で説明したベゼルを抹消した場合であっても、表示装置の内部に侵入した静電気が表示パネルに飛ぶのを抑制することができ、表示パネルを静電気から保護することができる。さらに、前面筐体にリブを設けることによって、前面筐体の剛性を高めることができる。
【００１１】
例えば、本発明の一態様に係る表示装置において、前記リブは、前記前面筐体の全周に亘って設けられているように構成してもよい。
【００１２】
本態様によれば、リブは前面筐体の全周に亘って設けられているので、表示装置の内部に侵入した静電気が表示パネルに飛ぶのをより一層効果的に抑制することができる。
【００１３】
例えば、本発明の一態様に係る表示装置において、前記リブの先端は、前記合わせ面よりも前記背面筐体側に配置されているように構成してもよい。
【００１４】
本態様によれば、リブの先端は、前面筐体及び背面筐体の合わせ面よりも背面筐体側に配置されているので、上述した合わせ面から表示パネルの外周部までの沿面距離をより一層長く確保することができる。
【００１５】
例えば、本発明の一態様に係る表示装置において、さらに、前記表示パネルの背面の外周部を支持する支持部材と、前記表示パネルと前記背面筐体との間に配置された金属製の背面部材と、を備え、前記支持部材は、前記背面部材の表面を前記リブの先端に面するように露出させるための開口部を有するように構成してもよい。
【００１６】
本態様によれば、支持部材は、背面部材の表面をリブの先端に面するように露出させるための開口部を有している。これにより、表示装置の内部に侵入した静電気は、リブの先端から支持部材の開口部を通して背面部材の表面を流れた後にアースに逃がされるようになる。その結果、表示装置の内部に侵入した静電気が表示パネルに飛ぶのをより効果的に抑制することができる。
【００１７】
例えば、本発明の一態様に係る表示装置において、さらに、前記表示パネルの外周部に設けられた可撓性配線基板を備え、前記開口部は、前記可撓性配線基板の配置箇所に対応して配置されているように構成してもよい。
【００１８】
本態様によれば、開口部は、可撓性配線基板の配置箇所に対応して配置されている。これにより、表示装置の内部に侵入した静電気は、可撓性配線基板の先端に飛ばずに、リブの先端から支持部材の開口部を通して背面部材の表面を流れた後にアースに逃がされるようになる。その結果、表示装置の内部に侵入した静電気が可撓性配線基板に飛ぶのを抑制することができる。
【００１９】
例えば、本発明の一態様に係る表示装置において、前記リブは、前記前面筐体の基準面から前記背面筐体に向けて延びており、前記基準面から前記リブの前記先端までの距離は、前記基準面から前記可撓性配線基板の先端までの距離よりも長く、且つ、前記リブの前記先端から前記可撓性配線基板の前記先端までの距離は、前記リブの前記先端から前記背面部材までの距離よりも長いように構成してもよい。
【００２０】
本態様によれば、前面筐体及び背面筐体の合わせ面から背面部材の表面までの沿面距離を、上記合わせ面から可撓性配線基板の先端までの沿面距離よりも短くすることができる。これにより、表示装置の内部に侵入した静電気は、可撓性配線基板の先端に飛ばずに、リブの先端から支持部材の開口部を通して背面部材の表面を流れた後にアースに逃がされるようになる。その結果、表示装置の内部に侵入した静電気が可撓性配線基板に飛ぶのを抑制することができる。
【００２１】
例えば、本発明の一態様に係る表示装置において、さらに、前記背面部材に支持され、且つ、前記表示パネルの背面に光を照射するバックライトを備えるように構成してもよい。
【００２２】
本態様によれば、背面部材を、バックライトを支持するための部材として用いることができる。
【発明の効果】
【００２３】
本発明の一態様に係る表示装置によれば、表示パネルを静電気から保護することができる。
【図面の簡単な説明】
【００２４】
【図１】実施の形態に係る表示装置の外観を示す図である。
【図２】実施の形態に係る表示装置を分解した状態を示す分解斜視図である。
【図３】図１中のＡ−Ａ線により切断した表示装置の要部断面図である。
【図４】図１中のＢ−Ｂ線により切断した表示装置の要部断面図である。
【図５】モールドフレームに設けられた開口部を拡大して示す、表示装置の要部断面斜視図である。
【図６】従来の表示装置の構造を示す要部断面図である。
【発明を実施するための形態】
【００２５】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２６】
（実施の形態）
［表示装置の全体構造］
まず、図１〜図４を参照しながら、実施の形態に係る表示装置の全体構造について説明する。図１は、実施の形態に係る表示装置の外観を示す図である。図２は、実施の形態に係る表示装置を分解した状態を示す分解斜視図である。図３は、図１中のＡ−Ａ線により切断した表示装置の要部断面図である。図４は、図１中のＢ−Ｂ線により切断した表示装置の要部断面図である。
【００２７】
図１及び図２に示すように、本実施の形態の表示装置２は、例えば液晶テレビジョン受像機である。表示装置２は、各種部品を収納するための筐体４を備えている。筐体４は、フロントキャビネット６（前面筐体を構成する）及びリアキャビネット８（背面筐体を構成する）が相互に接続されることにより構成されている。なお、筐体４の下端部には、筐体４を下方より支持するためのスタンド１０が取り付けられている。
【００２８】
フロントキャビネット６は、矩形状の枠状に構成されており、後述する液晶パネル１２（表示パネルを構成する）の前面１２ａの外周部を覆うようにして配置されている。フロントキャビネット６は、例えば樹脂で形成されている。
【００２９】
リアキャビネット８は、表示装置２の背面側にやや膨らんだ形状を有しており、液晶パネル１２の背面１２ｂ全体を覆うようにして配置されている。リアキャビネット８は、液晶パネル１２の周囲においてフロントキャビネット６と相互に接続されている。リアキャビネット８は、例えば樹脂で形成されている。
【００３０】
図２に示すように、上述したフロントキャビネット６とリアキャビネット８との間には、リアフレーム１４（背面部材を構成する）、バックライトユニット１６、拡散板１８、一対の光学シート２０，２２、モールドフレーム２４（支持部材を構成する）及び液晶パネル１２が配置されている。なお、本実施の形態の表示装置２では、背景技術の欄で説明したベゼルは設けられていない。
【００３１】
リアフレーム１４は、リアキャビネット８の内面全体を覆うようにして配置されている。リアフレーム１４の外周部には、フランジ部１４ａが設けられている。リアフレーム１４は、例えば、ＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ鋼）等の板金で形成されている。リアフレーム１４は、例えば配線基板（図示せず）のグランド配線にネジ（図示せず）で締結されることにより、配線基板のグランド配線に電気的に導通（アース）されている。
【００３２】
バックライトユニット１６は、例えば直下型のバックライトユニットであり、液晶パネル１２の背面１２ｂに光を照射するためのものである。バックライトユニット１６は、反射シート２６及び複数のＬＥＤ（Ｌｉｇｈｔ  Ｅｍｉｔｔｉｎｇ  Ｄｉｏｄｅ）バー２８を有している。
【００３３】
反射シート２６は、リアフレーム１４の内面全体を覆うようにして配置されている。反射シート２６は、複数のＬＥＤバー２８の各々からの光を液晶パネル１２の背面１２ｂに向けて反射するためのものである。反射シート２６は、例えばアクリル樹脂で形成されている。
【００３４】
複数のＬＥＤバー２８はそれぞれ長尺状に構成されており、間隔を置いて且つ互いに略平行に配置されている。複数のＬＥＤバー２８の各々は、配線基板３０と、配線基板３０上に実装された複数のＬＥＤ３２と、を有している。
【００３５】
配線基板３０は、長尺状の板状に構成されている。配線基板３０は、熱伝導性の高い金属、例えばアルミニウムで形成されている。配線基板３０は、反射シート２６上に配置されている。
【００３６】
複数のＬＥＤ３２は、配線基板３０の長手方向に沿って一列に且つ間隔を置いて配置されている。複数のＬＥＤ３２の各々は、例えばパワーＬＥＤで構成されている。
【００３７】
拡散板１８は、矩形状の薄い板状に構成されており、バックライトユニット１６と液晶パネル１２との間に配置されている。拡散板１８は、バックライトユニット１６からの光を液晶パネル１２の背面１２ｂに向けて拡散するためのものである。
【００３８】
一対の光学シート２０，２２はそれぞれ、相互に重ね合わされた状態で、拡散板１８の表面を覆うようにして配置されている。一対の光学シート２０，２２の各々は、例えば、拡散板１８により拡散された光を液晶パネル１２の背面１２ｂに導くためのものである。
【００３９】
なお、図３に示すように、上述した反射シート２６、拡散板１８及び一対の光学シート２０，２２の各々の外周部は、リアフレーム１４のフランジ部１４ａに支持されている。
【００４０】
モールドフレーム２４は、長尺状の４個のフレーム部材２４ａ〜２４ｄが矩形状の枠状に組み合わされることにより構成されている。モールドフレーム２４は、リアフレーム１４のフランジ部１４ａに取り付けられている。モールドフレーム２４は、例えば樹脂で形成されている。
【００４１】
液晶パネル１２は、矩形状のパネル状に構成されている。図３に示すように、液晶パネル１２の背面１２ｂの外周部は、クッション部材３４を介してモールドフレーム２４に支持されている。また、液晶パネル１２の前面１２ａの外周部は、クッション部材３６を介してフロントキャビネット６に支持されている。これにより、液晶パネル１２の外周部は、フロントキャビネット６とモールドフレーム２４との間に固定されている。なお、上述したクッション部材３４，３６はそれぞれ、液晶パネル１２に加わる衝撃を吸収するためのものであり、例えばウレタンで形成されている。バックライトユニット１６からの光が液晶パネル１２の背面１２ｂを照射することにより、液晶パネル１２の前面１２ａにおける表示領域に画像が表示される。
【００４２】
図２及び図４に示すように、液晶パネル１２の外周部のうち短手方向の辺には、一対のチップオンフィルム（ＣＯＦ）３８（可撓性配線基板を構成する）が設けられている。一対のチップオンフィルム３８の各々は、液晶パネル１２の外周部からリアキャビネット８側に延びている。一対のチップオンフィルム３８の各々には、液晶パネル１２を駆動制御するためのＩＣ（Ｉｎｔｅｇｒａｔｅｄ  Ｃｉｒｃｕｉｔ）チップ（図示せず）が実装されている。なお、一対のチップオンフィルム３８の各々の先端３８ａは、どこにも固定されていない。
【００４３】
［静電気保護構造］
次に、上述した図３及び図４とともに図５を参照しながら、本実施の形態の表示装置２の特徴的な構造である、液晶パネル１２を静電気から保護するための静電気保護構造について説明する。図５は、モールドフレームに設けられた開口部を拡大して示す、表示装置の要部断面斜視図である。なお、図５では、説明の都合上、リアキャビネット８の図示を省略している。
【００４４】
図３〜図５に示すように、フロントキャビネット６の内面（後述する基準面４４）には、リアキャビネット８に向けて延びるリブ４０が設けられている。リブ４０は、フロントキャビネット６及びリアキャビネット８の合わせ面４２と液晶パネル１２の外周部との間に配置されており、フロントキャビネット６の全周に亘って設けられている。リブ４０の先端４０ａは、上述した合わせ面４２よりもリアキャビネット８側に配置されている。フロントキャビネット６の内面からのリブ４０の高さＨは、上述した合わせ面４２から液晶パネル１２の外周部までの沿面距離（すなわち、図３中の矢印に沿った距離）が例えば２０ｍｍ以上となるような高さに設定されている。ここで、沿面距離とは、対象物に対して放電が起こる場合に、放電元から対象物に至るまでの放電ルートの最短距離をいう。なお、リブ４０の高さＨは、例えば、フロントキャビネット６の全周に亘ってほぼ同じ高さである。
【００４５】
図４及び図５に示すように、モールドフレーム２４（フレーム部材２４ｃ）には、二組の一対の開口部４６が設けられている。一対の開口部４６の各々は、チップオンフィルム３８の配置箇所に対応するモールドフレーム２４の部位であり、且つ、リブ４０の先端４０ａの近傍におけるモールドフレーム２４の部位に設けられている。一対の開口部４６の各々は、例えばリブ４０が延びる方向（Ｙ軸方向）に沿って延びる長孔で構成されている。これらの一対の開口部４６を通して、リアフレーム１４の表面がリブ４０の先端４０ａに面するように露出されている。
【００４６】
なお、図４に示すように、フロントキャビネット６の基準面４４（すなわち、フロントキャビネット６の内面）からリブ４０の先端４０ａまでの距離Ｄ１は、上記基準面４４からチップオンフィルム３８の先端３８ａまでの距離Ｄ２よりも長くなるように設定されている。さらに、リブ４０の先端４０ａからチップオンフィルム３８の先端３８ａまでの距離Ｄ３は、リブ４０の先端４０ａからリアフレーム１４の表面までの距離Ｄ４よりも長くなるように設定されている。
【００４７】
［効果］
次に、本実施の形態の表示装置２により得られる効果について説明する。フロントキャビネット６及びリアキャビネット８の合わせ面４２には、僅かな隙間が形成されている。そのため、例えば帯電したユーザの手等が筐体４に触れた際に、図３及び図４中の矢印で示すように、静電気が上記隙間を通して筐体４の内部に侵入することがある。
【００４８】
本実施の形態の表示装置２では、上述したようにフロントキャビネット６にリブ４０が設けられているので、上述した合わせ面４２から液晶パネル１２の外周部までの沿面距離を長く確保することができる。これにより、表示装置２の狭額縁化を図るために背景技術の欄で説明したベゼルを抹消した場合であっても、筐体４の内部に侵入した静電気が液晶パネル１２に飛ぶのを抑制することができ、液晶パネル１２を静電気から保護することができる。
【００４９】
一般に、電圧１ｋＶに対して絶縁を保つことができる沿面距離は１ｍｍであると言われている。そのため、例えば静電気の電圧が２０ｋＶである場合には、リブ４０の高さＨを、上述した合わせ面４２から液晶パネル１２の外周部までの沿面距離が２０ｍｍ以上となるような高さに設定することによって、筐体４の内部に侵入した静電気が液晶パネル１２に飛ぶのをより確実に抑制することができる。
【００５０】
また、液晶パネル１２の外周部のうちチップオンフィルム３８が配置されている箇所では、上述した合わせ面４２からチップオンフィルム３８の先端３８ａまでの沿面距離が比較的短くなる。そのため、本実施の形態の表示装置２では、上述したように、チップオンフィルム３８の配置箇所に対応するモールドフレーム２４の部位に一対の開口部４６が設けられている。さらに、フロントキャビネット６の基準面４４からリブ４０の先端４０ａまでの距離Ｄ１が上記基準面４４からチップオンフィルム３８の先端３８ａまでの距離Ｄ２よりも長く、且つ、リブ４０の先端４０ａからチップオンフィルム３８の先端３８ａまでの距離Ｄ３がリブ４０の先端４０ａからリアフレーム１４の表面までの距離Ｄ４よりも長い。これにより、上述した合わせ面４２からリアフレーム１４の表面までの沿面距離は、合わせ面４２からチップオンフィルム３８の先端３８ａまでの沿面距離よりも短くなる。その結果、筐体４の内部に侵入した静電気は、チップオンフィルム３８の先端３８ａに飛ばずに、リブ４０の先端４０ａから一対の開口部４６の各々を通してリアフレーム１４の表面を流れた後にアースに逃がされるようになる。これにより、筐体４の内部に侵入した静電気がチップオンフィルム３８に飛ぶのを抑制することができる。
【００５１】
さらに、フロントキャビネット６にリブ４０を設けることによって、フロントキャビネット６の剛性を高めることができる。
【００５２】
以上、本発明の実施の形態に係る表示装置について説明したが、本発明は、上記実施の形態に限定されるものではない。
【００５３】
上記実施の形態では、表示装置が液晶テレビジョン受像機である場合について説明したが、これに限定されない。表示装置は、例えばパーソナルコンピュータ用の液晶モニタ等でもよい。
【００５４】
上記実施の形態では、可撓性配線基板をチップオンフィルムで構成したが、これに限定されず、例えば、ＩＣチップが実装されていないフレキシブルフラットケーブル等で構成してもよい。
【００５５】
上記実施の形態では、モールドフレームに設けられた開口部を長孔で構成したが、これに限定されず、例えば円形状の孔等で構成してもよく、開口部の形状は任意の形状とすることができる。あるいは、開口部を孔ではなく、切り欠きで構成することもできる。
【００５６】
上記実施の形態では、モールドフレームの開口部をチップオンフィルムの配置箇所に対応して配置したが、開口部をチップオンフィルムの配置箇所以外の箇所に対応して配置することもできる。
【００５７】
上記実施の形態では、液晶パネルの前面の外周部を支持するためのベゼルを抹消したが、ベゼルを設けるようにすることも勿論可能である。
【００５８】
上記実施の形態では、リブをフロントキャビネットの全周に亘って設けたが、これに限定されず、フロントキャビネットの一部（例えば、フロントキャビネットの短手方向の辺）にのみ設けることもできる。
【００５９】
上記実施の形態では、リブの高さをフロントキャビネットの全周に亘ってほぼ同じ高さにしたが、これに限定されず、リブの高さをフロントキャビネットの全周に沿って変化させてもよい。
【００６０】
上記実施の形態では、リブの先端を合わせ面よりもリアキャビネット側に配置したが、これに限定されず、リブの先端を合わせ面よりもフロントキャビネット側に配置してもよく、リブの高さは任意に設定することができる。
【００６１】
上記実施の形態では、バックライトユニットを直下型のバックライトユニットで構成したが、これに限定されず、バックライトユニットをエッジライト型のバックライトユニットで構成してもよい。
【００６２】
上記実施の形態では、モールドフレームを４個のフレーム部材に分割可能なように構成したが、これに限定されず、モールドフレームを一体の１部品で構成してもよい。
【産業上の利用可能性】
【００６３】
本発明の表示装置は、例えば、液晶テレビジョン受像機等として適用することができる。
【符号の説明】
【００６４】
２，１００  表示装置
４，１０２  筐体
６，１０４  フロントキャビネット
８，１０６  リアキャビネット
１０  スタンド
１２，１０８  液晶パネル
１２ａ  前面
１２ｂ  背面
１４，１１４  リアフレーム
１４ａ  フランジ部
１６  バックライトユニット
１８  拡散板
２０，２２  光学シート
２４，１１２  モールドフレーム
２４ａ，２４ｂ，２４ｃ，２４ｄ  フレーム部材
２６  反射シート
２８  ＬＥＤバー
３０  配線基板
３２  ＬＥＤ
３４，３６  クッション部材
３８  チップオンフィルム
３８ａ，４０ａ  先端
４０  リブ
４２，１１８  合わせ面
４４  基準面
４６  開口部
１１０  ベゼル
１１６  ネジ
【図１】
2015125180.tif 000003
【図２】
2015125180.tif 000004
【図３】
2015125180.tif 000005
【図４】
2015125180.tif 000006
【図５】
2015125180.tif 000007
【図６】
2015125180.tif 000008